(57)【要約】【課題】ホルダに収容された複数のレンズのうち、最も物体側に位置する第１レンズとホルダとの間の防水性能を向上することのできるレンズユニットを提供すること。【解決手段】レンズユニット１において、樹脂製のホルダ７に収容された複数のレンズのうち、最も物体側Ｌａの第１レンズ１１の側面１１０には、第１レンズ１１の物体側Ｌａの面（第１面１１１）の外縁から像側Ｌｂに向けて延在する第１側面部１１６と、第１側面部１１６より像側Ｌｂかつ径方向外側で物体側Ｌａから像側Ｌｂに向けて延在する第２側面部１１７との間に第３側面部１１８が設けられている。ホルダ７では、第２側面部１１７の周りを囲む第１レンズ保持用筒部７０の物体側Ｌａの端部に、第３側面部１１８に被さるカシメ部７５が設けられており、カシメ部７５の径方向内側端部７５０は、第１面１１１を径方向外側に延長させた仮想の延長面Ｓより像側Ｌｂに位置する。【選択図】図３
2019066572.tif 000002
【特許請求の範囲】
【請求項１】
複数のレンズと、
前記複数のレンズを内側に保持する筒状のホルダと、
を有し、
前記複数のレンズのうち、最も物体側に位置する第１レンズの側面は、前記第１レンズの物体側の面である第１面の外縁から像側に向けて延在する第１側面部と、前記第１側面部より像側、かつ前記第１側面部より径方向外側で物体側から像側に向けて延在する第２側面部と、前記第１側面部の像側端部と前記第２側面部の物体側端部とを繋げる第３側面部と、を有し、
前記ホルダは、遮光性樹脂製であって、前記第２側面部の周りを囲む第１レンズ保持用筒部と、前記第１レンズ保持用筒部の物体側端部で前記第１レンズの第３側面部に物体側から被さったカシメ部と、を有し、
前記カシメ部の径方向内側端部は、前記第１面を径方向外側に延長させた仮想の延長面より像側に位置することを特徴とするレンズユニット。
【請求項２】
前記第３側面部は、光軸に対して斜めに傾いた斜面になっていることを特徴とする請求項１に記載のレンズユニット。
【請求項３】
前記カシメ部の前記径方向内側端部は、前記第１側面部に径方向外側から被さっていることを特徴とする請求項１または２に記載のレンズユニット。
【請求項４】
前記カシメ部の前記径方向内側端部は、前記第１側面部に沿うように物体側に突出していることを特徴とする請求項３に記載のレンズユニット。
【請求項５】
前記カシメ部の前記径方向内側端部は、前記第１側面部から径方向外側に向けて離間する位置にあることを特徴とする請求項１または２に記載のレンズユニット。
【請求項６】
前記カシメ部の前記径方向内側端部と前記第１側面部との間に接着剤が充填され、
前記接着剤は、前記仮想の延長面より像側に位置することを特徴とする請求項５に記載のレンズユニット。
【請求項７】
前記接着剤は、遮光性を有していることを特徴とする請求項６に記載のレンズユニット。
【請求項８】
前記第１レンズの像側の面である第２面と前記ホルダとの間には、環状のシール部材が配置されていることを特徴とする請求項１から７までの何れか一項に記載のレンズユニット。
【発明の詳細な説明】
【技術分野】
【０００１】
本発明は、ホルダに複数のレンズが保持されたレンズユニットに関するものである。
【背景技術】
【０００２】
複数のレンズが樹脂製のホルダ内に収容されたレンズユニットにおいて、図８に示すように、第１レンズ１１、第２レンズ１２等の複数のレンズのうち、最も物体側Ｌａに位置する第１レンズ１１とホルダ７との間にシール部材５が配置された構造が採用されることがある。また、ホルダ７に、シール部材５より物体側Ｌａで第１レンズ１１の周りを囲む第１レンズ保持用筒部７０と、第１レンズ保持用筒部７０の物体側の端部で物体側に突出するカシメ用リブ（図示せず）とを設けておき、第１レンズ１１を配置した後、カシメ用リブを加熱しながら加圧することにより変形させて第１レンズ１１の外周側端部に物体側Ｌａから被さるカシメ部７８を形成した構造が採用されることがある（例えば、特許文献１参照）。
【０００３】
レンズユニットの防水性を評価する場合、物体側Ｌａから第１レンズ１１に高圧水流Ｗを噴射する評価が行わる。かかる評価において、矢印Ｗ１０で示すように、第１レンズ１１とカシメ部７８との間から第１レンズ１１の側面１１０と第１レンズ保持用筒部７０との間に水が侵入した場合でも、侵入した水が少なければ、水はシール部材５によって堰き止められる。
【０００４】
しかしながら、物体側Ｌａから第１レンズ１１に高圧水流を噴射した場合、水圧によってカシメ部７８の先端側が破損し、第１レンズ１１とカシメ部７８との間から水が侵入しやすくなってしまうという問題点がある。また、第１レンズ１１とカシメ部７８との間に高圧の水が侵入すると、その水圧がカシメ部７８に作用してカシメ部７８が開く方向に変形するという問題点がある。
【０００５】
一方、第１レンズ１１の物体側の面に対して、第１レンズ１１の外縁から径方向内側に離間した位置で外縁に沿うように延在する溝状の凹部を形成しておき、凹部に熱硬化性接着剤を充填した後、カシメ部７８を形成する構成が提案されている（特許文献２参照）。
【先行技術文献】
【特許文献】
【０００６】
【特許文献１】特開２００８−２３３４１４号公報
【特許文献２】特開２００９−１５７１２１号公報
【発明の概要】
【発明が解決しようとする課題】
【０００７】
しかしながら、特許文献２に記載の構成のように、第１レンズ１１に設けた溝状の凹部に熱硬化性接着剤を適正に充填するには、凹部の開口幅がある程度広くしておく必要がある。このため、第１レンズ１１のレンズ面の外側部分を拡張しなればならないという問題点がある。また、特許文献２に記載の構成の場合、凹部に熱硬化性接着剤を充填した後、カシメ部７８を形成することになるため、熱硬化性接着剤が第１レンズ１１の物体側のレンズ面の側に流出するおそれがある。さらに、熱硬化性接着剤の塗布工程や硬化工程を行えば、その分、生産性が低下する。
【０００８】
以上の問題点に鑑みて、本発明の課題は、ホルダに収容された複数のレンズのうち、最も物体側に位置する第１レンズとホルダとの間の防水性能を向上することのできるレンズ
ユニットを提供することにある。
【課題を解決するための手段】
【０００９】
上記課題を解決するために、本発明に係るレンズユニットは、複数のレンズと、前記複数のレンズを内側に保持する筒状のホルダと、を有し、前記複数のレンズのうち、最も物体側に位置する第１レンズの側面は、前記第１レンズの物体側の面である第１面の外縁から像側に向けて延在する第１側面部と、前記第１側面部より像側、かつ前記第１側面部より径方向外側で物体側から像側に向けて延在する第２側面部と、前記第１側面部の像側端部と前記第２側面部の物体側端部とを繋げる第３側面部と、を有し、前記ホルダは、遮光性樹脂製であって、前記第２側面部の周りを囲む第１レンズ保持用筒部と、前記第１レンズ保持用筒部の物体側端部で前記第１レンズの第３側面部に物体側から被さったカシメ部と、を有し、前記カシメ部の径方向内側端部は、前記第１面を径方向外側に延長させた仮想の延長面より像側に位置することを特徴とする。
【００１０】
本発明に係るレンズユニットにおいて、第１レンズの側面では、第１レンズの物体側の面（第１面）の外縁から像側に向けて延在する第１側面部と、第１側面部より像側かつ径方向外側で物体側から像側に向けて延在する第２側面部との間に第３側面部が設けられており、ホルダでは、第２側面部の周りを囲む第１レンズ保持用筒部の物体側端部には、第３側面部に物体側から被さるカシメ部が設けられている。ここ、カシメ部の径方向内側端部は、第１面を径方向外側に延長させた仮想の延長面より像側に位置する。このため、物体側から第１レンズに高圧水流を噴射した際、水流は、第１レンズ面および仮想の延長面に沿って径方向外側に流れ、カシメ部の径方向内側端部に強い圧力で径方向内側から突き当たるという事態が発生しにくい。従って、第１レンズの側面とホルダの第１レンズ保持用筒部との間に水が侵入しにくい。また、カシメ部の径方向内側端部では、水圧による径方向外側への変形や破損が発生しにくい。それ故、第１レンズとホルダとの間の防水性能を向上することができる。
【００１１】
本発明において、前記第３側面部は、光軸に対して斜めに傾いた斜面になっている態様を採用することができる。かかる態様によれば、第１レンズ保持用筒部の端部を塑性変形させてカシメ部を構成する際、第１レンズの側面の形状に沿う形状にカシメ部を形成しやすい。
【００１２】
本発明において、前記カシメ部の前記径方向内側端部は、前記第１側面部に径方向外側から被さっている態様を採用することができる。かかる態様によれば、物体側から第１レンズに高圧水流を噴射した際、水流がカシメ部の径方向内側端部に強い圧力で突き当たりにくい。また、第１レンズの側面にカシメ部が被さっているため、第１レンズの側面から第１レンズに迷光の原因となる光が入射しにくい。
【００１３】
本発明において、前記カシメ部の前記径方向内側端部は、前記第１側面部に沿うように物体側に突出している態様を採用することができる。かかる態様によれば、第１レンズの側面から第１レンズに迷光の原因となる光が入射しにくい。
【００１４】
本発明において、前記カシメ部の前記径方向内側端部は、前記第１側面部から径方向外側に向けて離間する位置にある態様を採用することができる。かかる態様でも、カシメ部の径方向内側端部は、第１面を径方向外側に延長させた仮想の延長面より像側に位置する。このため、物体側から第１レンズに高圧水流を噴射した際、水流は、第１レンズ面および仮想の延長面に沿って径方向外側に流れ、カシメ部の径方向内側端部に強い圧力で径方向内側から突き当たるという事態が発生しにくい。従って、カシメ部の径方向内側端部では、水圧による径方向外側への変形や破損が発生しにくい。
【００１５】
本発明において、前記カシメ部の前記径方向内側端部と前記第１側面部との間に接着剤が充填され、前記接着剤は、前記仮想の延長面より像側に位置する態様を採用してもよい。かかる態様によれば、接着剤によって、第１レンズの側面とホルダの第１レンズ保持用筒部との間に水が侵入することを抑制することができる。また、接着剤が、仮想の延長面より像側に位置するため、物体側から第１レンズに高圧水流を噴射した際、水流が接着剤に強い圧力で径方向内側から突き当たるという事態が発生しにくい。従って、接着剤の脱離等が発生しにくい。
【００１６】
本発明において、前記接着剤は、遮光性を有している態様を採用することができる。かかる態様によれば、第１レンズの側面に遮光性の接着剤が被さっているため、第１レンズの側面から第１レンズに迷光の原因となる光が入射しにくい。
【００１７】
本発明において、前記第１レンズの像側の面である第２面と前記ホルダとの間には、環状のシール部材が配置されている態様を採用することができる。かかる態様によれば、第１レンズの側面とホルダの第１レンズ保持用筒部との間に多少の水が侵入した場合でも、かかる水をシール部材によって堰き止めることができる。
【発明の効果】
【００１８】
本発明に係るレンズユニットにおいて、第１レンズの側面では、第１レンズの物体側の面（第１面）の外縁から像側に向けて延在する第１側面部と、第１側面部より像側かつ径方向外側で物体側から像側に向けて延在する第２側面部との間に第３側面部が設けられており、ホルダでは、第２側面部の周りを囲む第１レンズ保持用筒部の物体側端部には、第３側面部に物体側から被さるカシメ部が設けられている。ここ、カシメ部の径方向内側端部は、第１面を径方向外側に延長させた仮想の延長面より像側に位置する。このため、物体側から第１レンズに高圧水流を噴射した際、水流は、第１レンズ面および仮想の延長面に沿って径方向外側に流れ、カシメ部の径方向内側端部に強い圧力で径方向内側から突き当たるという事態が発生しにくい。従って、第１レンズの側面とホルダの第１レンズ保持用筒部との間に水が侵入しにくい。また、カシメ部の径方向内側端部では、水圧による径方向外側への変形や破損が発生しにくい。それ故、第１レンズとホルダとの間の防水性能を向上することができる。
【図面の簡単な説明】
【００１９】
【図１】本発明の実施の形態１に係るレンズユニットの一部を切り欠いて物体側から見た斜視図。
【図２】図１に示すレンズユニットの第１レンズの周辺を拡大して示す断面図。
【図３】図１に示すレンズユニットの第１レンズに対するカシメ部の周辺を拡大して示す断面図。
【図４】本発明の実施形態２に係るレンズユニットの第１レンズに対するカシメ部の周辺を拡大して示す断面図。
【図５】本発明の実施形態３に係るレンズユニットの第１レンズに対するカシメ部の周辺を拡大して示す断面図。
【図６】本発明の実施形態４に係るレンズユニットの第１レンズに対するカシメ部の周辺を拡大して示す断面図。
【図７】本発明の実施形態５に係るレンズユニットの第１レンズに対するカシメ部の周辺を拡大して示す断面図。
【図８】本発明の参考例に係るレンズユニットの説明図。
【発明を実施するための形態】
【００２０】
図面を参照して、本発明の実施の形態を説明する。なお、以下の説明で参照する図においては、各部材を図面上で認識可能な程度の大きさとするため、各部材の数や縮尺を異な
らしめてある。また、以下の説明では、光軸Ｌが延在している方向において、物体側にＬａを付し、像側にＬｂを付して説明する。また、以下の説明では、図８を参照して説明した形態との対応が分かりやすいように、対応する部分には、図８と同一の符号を付してある。
【００２１】
［実施形態１］
（レンズユニットの構成）
図１は、本発明の実施の形態１に係るレンズユニット１の一部を切り欠いて物体側から見た斜視図である。図１に示すように、本形態のレンズユニット１は、光軸Ｌ方向に複数のレンズが配置された広角レンズ１０と、広角レンズ１０を内側に保持する筒状のホルダ７とを有しており、撮像装置等の光学装置に用いられる。本形態において、ホルダ７は遮光性樹脂製である。
【００２２】
広角レンズ１０は、例えば、５群６枚のレンズ構成を備えている。より具体的には、広角レンズ１０は、物体側Ｌａ（被写体側／前側）から像側Ｌｂに向けて、負のパワーを持つ第１レンズ１１と、負のパワーを持つ第２レンズ１２と、正または負のパワーを持つ第３レンズ１３と、正のパワーを有する第４レンズ１４と、正のパワーを有する接合レンズ１７（第５レンズ１５および第６レンズ１６）とを有している。第１レンズ１１はガラスレンズまたはプラスチックレンズであり、本形態において、第１レンズ１１はガラスレンズである。
【００２３】
第２レンズ１２および第３レンズ１３はプラスチックレンズである。第４レンズ１４はガラスレンズである。接合レンズ１７は、負のパワーを有するプラスチックレンズである第５レンズ１５と、正のパワーを有するプラスチックレンズである第６レンズ１６との接合レンズである。レンズユニット１は、第２レンズ１２と第３レンズ１３との間に円環状の遮光シート２を有し、第３レンズ１３と第４レンズ１４との間に円環状の絞り３を有している。また、レンズユニット１は、接合レンズ１７より像側Ｌｂに赤外線カットフィルタ４を有している。
【００２４】
（ホルダ７等の構成）
第１レンズ１１は、第２レンズ１２、第３レンズ１３、第４レンズ１４、および接合レンズ１７より外径が大きい。第２レンズ１２、第３レンズ１３および接合レンズ１７は外径が略等しく、接合レンズ１７において、第５レンズ１５は、第６レンズ１６より外形が大きい。第４レンズ１４は、第２レンズ１２等より外径が小さい。
【００２５】
かかる形状に対応して、ホルダ７は、最も物体側Ｌａで第１レンズ１１の周りを囲む第１レンズ保持用筒部７０と、第１レンズ保持用筒部７０から像側Ｌｂに向けて延在する第１筒部７１と、第１筒部７１から像側Ｌｂに向けて延在する第２筒部７２と、第２筒部７２の像側Ｌｂの端部で径方向内側に張り出した張出部７３とを有している。第１筒部７１と第２筒部７２とは内径が等しく、第１レンズ保持用筒部７０は、第１筒部７１および第２筒部７２より内径が大きい。従って、第１レンズ保持用筒部７０の内周面と第１筒部７１の内周面との間には、物体側Ｌａに向いた環状の段部７４が形成されている。段部７４には環状の溝７４０が形成されており、溝７４０の内側に環状のシール部材５が配置されている。第２筒部７２の内周面には、光軸Ｌ方向の途中位置で径方向内側に張り出して物体側Ｌａに向いた環状の段部７２１が形成されている。
【００２６】
かかる構成のホルダ７に対して、第５レンズ１５のフランジ部１５５は、段部７２１に物体側Ｌａから当接している。第４レンズ１４は、レンズバレル６に保持されており、レンズバレル６は、第５レンズ１５のフランジ部１５５に物体側Ｌａから当接している。第３レンズ１３のフランジ部１３５は、レンズバレル６に絞り３を介して物体側Ｌａから当
接している。第２レンズ１２のフランジ部１２５は、第３レンズ１３のフランジ部１３５に遮光シート２を介して物体側Ｌａから当接している。
【００２７】
第２レンズ１２のフランジ部１２５には、第１筒部７１の内周面の物体側Ｌａの端部を径方向内側に塑性変形させたカシメ部７１５が物体側Ｌａから被さって第２レンズ１２の物体側Ｌａへの移動が規制されている。その結果、第２レンズ１２、遮光シート２、第３レンズ１３、絞り３、第４レンズ１４、および接合レンズ１７が第１筒部７１および第２筒部７２の内部に保持されている。
【００２８】
（第１レンズ１の固定構造）
図２は、図１に示すレンズユニット１の第１レンズ１１の周辺を拡大して示す断面図である。図３は、図１に示すレンズユニット１の第１レンズ１１に対するカシメ部７５の周辺を拡大して示す断面図である。
【００２９】
図１および図２に示すように、ホルダ７は、第１レンズ保持用筒部７０の内側に第１レンズ１１を固定するカシメ部７５を有している。カシメ部７５は、第１レンズ保持用筒部７０の物体側Ｌａの端部に形成されていたリブ（図示せず）を加熱して、第１レンズ１１の外周部分に物体側Ｌａから被さるように径方向内側に塑性変形させた部分である。この状態で、第１レンズ１１の像側Ｌｂの面である第２面１１２は、段部７４に当接し、光軸Ｌ方向で位置決めされている。また、第１レンズ１１の第２面１１２は、環状のシール部材５に物体側Ｌａから当接し、第１レンズ１１の第２面１１２とホルダ７との間がシール部材５によってシールされる。本形態では、第１レンズ１１の第２面１１２には、レンズ面の外周側に遮光層（図示せず）が形成されている。
【００３０】
カシメ部７５を利用した固定構造を採用するにあたって、図３に示すように、第１レンズ１１の側面１１０には、第１レンズ１１の物体側Ｌａの面である第１面１１１の外縁から像側Ｌｂに向けて延在する第１側面部１１６と、第１側面部１１６より像側Ｌｂ、かつ第１側面部１１６より径方向外側で物体側Ｌａから像側Ｌｂに向けて延在する第２側面部１１７と、第１側面部１１６の像側端部１１６ｂと第２側面部１１７の物体側端部１１７ａとを繋げる第３側面部１１８とが設けられている。本形態において、第１側面部１１６および第２側面部１１７は、光軸Ｌに略平行に延在しており、第２側面部１１７の周りを第１レンズ保持用筒部７０が囲んでいる。第３側面部１１８は、光軸Ｌに対して３０°から７０°の角度を成すように傾いた傾斜面からなる。第１側面部１１６、第２側面部１１７、および第３側面部１１８は、全周にわたって環状に形成されている。
【００３１】
カシメ部７５は、全周にわたって、第１レンズ保持用筒部７０の物体側Ｌａの端部から第３側面部１１８に被さるように径方向内側に斜めに傾くように形成されており、第３側面部１１８に物体側Ｌａから被さっている。ここで、カシメ部７５の径方向内側端部７５０は、周方向のいずれの個所でも、第１レンズ１１の物体側Ｌａの面（第１面１１１）を径方向外側に延長させた仮想の延長面Ｓより像側Ｌｂに位置する。
【００３２】
本形態において、カシメ部７５の径方向内側端部７５０は、周方向のいずれの個所でも、第１側面部１１６に径方向外側から被さっている。この場合でも、カシメ部７５の径方向内側端部７５０は、第１側面部１１６のうち、物体側端部１１６ａから像側Ｌｂに離間する部分に被さっているため、第１レンズ１１の物体側Ｌａの面（第１面１１１）を径方向外側に延長させた仮想の延長面Ｓより像側Ｌｂに位置する。
【００３３】
また、カシメ部７５の径方向内側端部７５０は、第１側面部１１６に沿うように物体側Ｌａに突出して第１側面部１１６に径方向外側から被さった突出部７５１を有しており、突出部７５１は周方向に延在している。ここで、突出部７５１は、第１側面部１１６の物
体側端部１１６ａから像側Ｌｂに離間する位置に被さっている。このため、突出部７５１は、第１レンズ１１の物体側Ｌａの面（第１面１１１）を径方向外側に延長させた仮想の延長面Ｓより像側Ｌｂに位置する。突出部７５１は、全周にわたって環状に形成されている。
【００３４】
（本形態の主な効果）
以上説明したように、本形態のレンズユニット１において、第１レンズ１１の側面１１０では、第１レンズ１１の物体側Ｌａの面（第１面１１１）の外縁から像側Ｌｂに向けて延在する第１側面部１１６と、第１側面部１１６より像側Ｌｂかつ径方向外側で物体側Ｌａから像側Ｌｂに向けて延在する第２側面部１１７との間に第３側面部１１８が設けられている。一方、ホルダ７では、第２側面部１１７の周りを囲む第１レンズ保持用筒部７０の物体側Ｌａの端部に、第３側面部１１８に被さるカシメ部７５が設けられており、カシメ部７５の径方向内側端部７５０は、第１面１１１を径方向外側に延長させた仮想の延長面Ｓより像側Ｌｂに位置する。このため、物体側Ｌａから第１レンズ１１に高圧水流Ｗを噴射した際、水流は、矢印Ｗ１で示すように、第１面１１１および仮想の延長面Ｓに沿って径方向外側に流れるので、カシメ部７５の径方向内側端部７５０に径方向内側から強い圧力で突き当たるという事態が発生しにくい。従って、第１レンズ１１の側面１１０とホルダ７の第１レンズ保持用筒部７０との間に水が侵入しにくい。また、カシメ部７５の径方向内側端部７５０では、水圧による径方向外側への変形や破損が発生しにくい。それ故、第１レンズ１１とホルダ７との間の防水性能を向上することができる。
【００３５】
また、カシメ部７５の径方向内側端部７５０は、第１側面部１１６に径方向外側から被さっているため、径方向内側端部７５０と第１側面部１１６との間に隙間がない。従って、物体側Ｌａから第１レンズ１１に高圧水流Ｗを噴射した際、水流がカシメ部７５の径方向内側端部７５０に径方向内側から強い圧力で突き当たりにくい。また、第１レンズ１１の第１側面部１１６にカシメ部７５が被さっているため、第１レンズ１１の側面１１０から第１レンズ１１に迷光の原因となる光が入射しにくい。
【００３６】
特に、本形態では、カシメ部７５の径方向内側端部７５０は、第１側面部１１６に沿うように物体側Ｌａに突出して第１レンズ１１の第１側面部１１６に径方向外側から被さる突出部７５１を有している。このため、第１レンズ１１の側面１１０から第１レンズ１１に迷光の原因となる光が入射しにくい。この場合でも、突出部７５１は、第１レンズ１１の物体側Ｌａの面（第１面１１１）を径方向外側に延長させた仮想の延長面Ｓより像側Ｌｂに位置するため、物体側Ｌａから第１レンズ１１に高圧水流Ｗを噴射した際、水流がカシメ部７５の突出部７５１に径方向内側から強い圧力で突き当たるという事態が発生しにくい。従って、カシメ部７５の径方向内側端部７５０では、水圧による変形や破損が発生しにくいので、第１レンズ１１とホルダ７との間の防水性能を向上することができる。
【００３７】
また、第３側面部１１８は、光軸Ｌに対して斜めに傾いた斜面になっているため、第１レンズ保持用筒部７０の物体側Ｌａの端部を塑性変形させてカシメ部７５を構成する際、第１レンズ１１の側面１１０の形状に沿う形状にカシメ部７５を形成しやすい。
【００３８】
［実施形態２］
図４は、本発明の実施形態２に係るレンズユニット１の第１レンズ１１に対するカシメ部７５の周辺を拡大して示す断面図である。なお、本実施形態および後述する実施形態のいずれにおいても、基本的な構成が同一であるため、共通する部分には同一の符号を付してそれらの説明を省略する。
【００３９】
実施形態１では、カシメ部７５の径方向内側端部７５０に形成した突出部７５１がカシメ部７５の他の部分に比べて極めて肉薄であったが、図４に示すように、突出部７５１が
比較的肉厚で突出部７５１の外周面が傾斜面になっている態様を採用してもよい。この場合でも、突出部７５１は、第１レンズ１１の物体側Ｌａの面（第１面１１１）を径方向外側に延長させた仮想の延長面Ｓより像側Ｌｂに位置するため、カシメ部７５の径方向内側端部７５０では、水圧による変形や破損が発生しにくい等、実施形態１と同様な効果を奏する。
【００４０】
［実施形態３］
図５は、本発明の実施形態３に係るレンズユニット１の第１レンズ１１に対するカシメ部７５の周辺を拡大して示す断面図である。実施形態１、２では、カシメ部７５の径方向内側端部７５０が第１側面部１１６に径方向外側から被さっていたが、図５に示すように、カシメ部７５の径方向内側端部７５０が第１側面部１１６から径方向外側に向けて離間する位置にあってもよい。かかる態様でも、カシメ部７５の径方向内側端部７５０は、第１面１１１を径方向外側に延長させた仮想の延長面Ｓより像側Ｌｂに位置する。このため、物体側Ｌａから第１レンズ１１に高圧水流Ｗを噴射した際、水流がカシメ部７５の径方向内側端部７５０に径方向内側から強い圧力で突き当たるという事態が発生しにくい等、実施形態１と同様な効果を奏する。
【００４１】
［実施形態４］
図６は、本発明の実施形態４に係るレンズユニット１の第１レンズ１１に対するカシメ部７５の周辺を拡大して示す断面図である。本形態では、図６に示すように、カシメ部７５の径方向内側端部７５０が第１側面部１１６から径方向外側に向けて離間する位置にある。ここで、カシメ部７５の径方向内側端部７５０と第１側面部１１６との間に接着剤９が充填されており、カシメ部７５の径方向内側端部７５０と第１側面部１１６との隙間が接着剤９によって埋められている。従って、接着剤９は、第１側面部１１６に径方向外側に被さっている。
【００４２】
本形態において、接着剤９は遮光性を有している。このため、第１レンズ１１の側面１１０から第１レンズ１１に迷光の原因となる光が入射しにくい。また、接着剤９は、第１面１１１を径方向外側に延長させた仮想の延長面Ｓより像側Ｌｂに位置する。このため、物体側Ｌａから第１レンズ１１に高圧水流Ｗを噴射した際、水流が接着剤９に径方向内側から強い圧力で突き当たるという事態が発生しにくいので、接着剤９の脱離等が発生しにくい。
【００４３】
［実施形態５］
図７は、本発明の実施形態５に係るレンズユニット１の第１レンズ１１に対するカシメ部７５の周辺を拡大して示す断面図である。実施形態１等において、第３側面部１１８が光軸Ｌに対して斜めに傾いた傾斜面であったが、本形態では、図７に示すように、第３側面部１１８は、光軸Ｌに直交する面である。かかる態様でも、カシメ部７５の径方向内側端部７５０（突出部７５１）は、第１レンズ１１の物体側Ｌａの面（第１面１１１）を径方向外側に延長させた仮想の延長面Ｓより像側Ｌｂに位置する。このため、物体側Ｌａから第１レンズ１１に高圧水流Ｗを噴射した際、水流がカシメ部７５の突出部７５１に径方向内側から強い圧力で突き当たるという事態が発生しにくいので、カシメ部７５の径方向内側端部７５０では、水圧による変形や破損が発生しにくい。
【００４４】
［他の実施形態］
上記実施形態において、カシメ部７５が第１レンズ１１のレンズ面を全周にわたって囲むように環状に形成されていたが、カシメ部７５が、周方向の複数個所で円弧状に形成されている場合に本発明を適用してもよい。
【００４５】
上記実施形態では、５群６枚のレンズ構成を有するレンズユニット１に本発明を適用し
たが、３群３枚、４群４枚、５群６枚、あるいは６群７枚のレンズ構成等を有するレンズユニット１に本発明を適用してもよく、レンズ構成に限定されない。
【符号の説明】
【００４６】
１…レンズユニット、５…シール部材、７…ホルダ、９…接着剤、１０…広角レンズ、１１…第１レンズ、１２…第２レンズ、７０…第１レンズ保持用筒部、７１…第１筒部、７２…第２筒部、７４…段部、７５…カシメ部、１１０…側面、１１１…第１面、１１２…第２面、１１６…第１側面部、１１７…第２側面部、１１８…第３側面部、７５０……径方向内側端部、７５１…突出部、Ｌ…光軸、Ｌａ…物体側、Ｌｂ…像側
【図１】
2019066572.tif 000003
【図２】
2019066572.tif 000004
【図３】
2019066572.tif 000005
【図４】
2019066572.tif 000006
【図５】
2019066572.tif 000007
【図６】
2019066572.tif 000008
【図７】
2019066572.tif 000009
【図８】
2019066572.tif 000010